(57)【要約】【課題】ヤトイの交換作業を必要とせず、装置取付部の形状が異なる各種装置に対して使用することができるヤトイおよびアダプタの組み合わせおよびレンズ保持具を提供する。【解決手段】レンズ保持具１０は、ヤトイ２と、アロイ３と、ブロッキングリング４およびアダプタ１１とで構成されている。ヤトイ２は、レンズ５の被加工面５ａとは反対側の面５ｂがアロイ３を介して固定されるレンズ取付部１２と、装置取付部に固定される固定基部１３とで構成されている。ヤトイ２は、レンズ用ブロッキング装置Ａの取付部７に直接取り付けられ、他の装置の取付部がスクロールチャックの場合は、アダプタ１１を介してスクロールチャックに取り付けられる。【選択図】  図１
2010284761.tif 000002
【特許請求の範囲】
【請求項１】
レンズ取付部および固定基部を一体に有し、前記レンズ取付部にレンズを低融点合金を介して固定する際に、前記固定基部が特定装置の取付部に固定されるヤトイと、
前記ヤトイの固定基部に適合する第１の嵌合部と、前記特定装置とは異なった他の装置の取付部に適合する第２の嵌合部を有し、前記ヤトイが前記他の装置に装着されるとき前記ヤトイに着脱可能に取り付けられるアダプタと、
からなるヤトイおよびアダプタの組み合わせ。
【請求項２】
前記特定装置がレンズ用ブロック装置からなり、前記他の装置が切削装置または研磨装置のいずれか一方である請求項１記載のヤトイおよびアダプタの組み合わせ。
【請求項３】
前記アダプタの第２の嵌合部がスクロールチャックに嵌合する請求項１または２記載のヤトイおよびアダプタの組み合わせ。
【請求項４】
ヤトイ、低融点合金、ブロッキングリングおよびアダプタを備えたレンズ保持具であって、
前記ヤトイは、レンズが前記低融点合金を介して固定されるレンズ取付部と、特定装置の取付部に固定される固定基部とを一体に有し、
前記ブロッキングリングは、前記ヤトイの外周を取り囲み前記レンズの外周を支持することにより前記ヤトイと前記レンズおよび前記特定装置の取付部の間に溶融した低融点合金が流し込まれる空間を形成し、
前記アダプタは、前記ヤトイの固定基部に適合する第１の嵌合部と、前記特定装置とは異なった他の装置の取付部に適合する第２の嵌合部とを有し、前記ヤトイが前記他の装置に装着されるとき前記ヤトイに着脱可能に取り付けられるレンズ保持具。
【請求項５】
前記特定装置がレンズ用ブロック装置からなり、前記他の装置が切削装置または研磨装置のいずれか一方である請求項４記載のレンズ保持具。
【発明の詳細な説明】
【技術分野】
【０００１】
本発明は、眼鏡レンズ等の光学レンズの加工処理に用いられるヤトイおよびアダプタの組み合わせおよびレンズ保持具に関する。
【背景技術】
【０００２】
従来、光学レンズ、特に眼鏡用プラスチックレンズを仕上げ寸法よりも肉厚の厚いレンズ素材（例えば、セミフィニッシュレンズ）から製造する方法としては、ＮＣ（数値）制御による切削機（以下、カーブジェネレータという）によってレンズ素材を切削することにより、砂かけ代や研磨代を見込んだ仕上げ寸法よりも肉厚が僅かに厚いレンズを製作し、このレンズを研磨装置によって所定の曲面形状に研磨することにより製作している。
【０００３】
レンズの切削工程や研磨工程において、レンズはレンズ保持具に保持されて加工装置に取り付けられる。レンズ保持具は、ヤトイと低融点合金（以下、アロイともいう）とで構成され、さらにレンズをヤトイにアロイを介して取り付けるときに用いられるブロッキングリングを備えている（特許文献１参照）。
【０００４】
図９に特許文献１に開示されている従来のレンズ保持具を示す。このレンズ保持具１は、ヤトイ２とアロイ３およびブロッキングリング４を備え、例えば、一般に市販されているＬＯＨ社製のレイアウトブロッカーと呼ばれるレンズ用ブロック装置Ａによってレンズ５をヤトイ２に取り付けるようにしている。レンズ５をヤトイ２に取り付けるには、予めレンズ５の被加工面５ａとは反対側の面（加工済み面で、例えば凸面）５ｂに傷防止用の保護フィルム６を貼着する。次に、レンズ用ブロック装置Ａの取付部７にヤトイ２とブロッキングリング４をピンと適宜な固定手段によって固定し、このリング４の上にレンズ５を保護フィルム６が貼着された凸面５ｂを下にして載置する。これにより、ブロッキングリング４は、ヤトイ２の外周を取り囲み、上面側内周縁によってレンズ５の凸面５ｂの外周部を支持する。そして、ヤトイ２、ブロッキングリング４、レンズ５および取付部７によって囲まれた空間内に溶融したアロイ３を流し込んで固化させることにより、レンズ５をヤトイ２に固定する。レンズ５は、ブロッキングリング４をアロイ３から分離した後、ヤトイ２とともに加工装置に装着され、被加工面５ａが切削または研磨加工される。
【先行技術文献】
【特許文献】
【０００５】
【特許文献１】特開２００３−３３４７４８号公報
【発明の概要】
【発明が解決しようとする課題】
【０００６】
しかしながら、上記した従来のレンズ保持具１は、以下のような問題があった。すなわち、近年、装置の入れ替え、新機能を搭載した装置の導入等で様々な機種の加工装置やレンズ用ブロック装置（以下、これらを総称して呼ぶときは、単に装置または各種装置という）を導入したり、さらに既存の機種と併用するといった機会が増えてきている。その場合、レンズ用ブロック装置Ａと加工装置の取付部の形状が一致していれば、ヤトイ２を共通用具としてそのまま使用することができる。しかし、実際には各種装置、機種、メーカー等によって取付部形状が異なっているため、装置を替える場合や、連続工程で取付部の形状が異なった装置を用いる必要がある場合等では、その都度ヤトイ２を装置の取付部に適合する別のヤトイに変更しなければならず、ヤトイの種類が増加するという問題があった。具体的には、レンズ用ブロック装置Ａの場合は、図９に示すように取付部７の表面に環状の凹陥部７ａを設け、この凹陥部７ａに適合する凸状の嵌合部８を有する専用のヤトイ２を用いる。
【０００７】
一方、各種加工装置は、一般に取付部をスクロールチャック、インデペンデントチャック、コレットチャック、マグネットチャック、ドリルチャック等のメカニカルチャックで構成しているので、例えばスクロールチャックに対して前記ヤトイ２を装着することができず、このためヤトイ２自体をスクロールチャックに適合可能なヤトイに交換する必要がある。その場合、レンズ５をヤトイ２から外した後、別のヤトイにレンズを固定しなければならず、ヤトイの交換作業が煩雑で、時間が掛かり、生産性を低下させるという問題があった。一方、ヤトイ２を交換しない場合は、ヤトイ２に対応した取付部を備えた加工装置を選択して使用する必要がある。
【０００８】
本発明は上記した従来の問題を解決するためになされたもので、その目的とするところは、ヤトイの交換作業を必要とせず、装置取付部の形状が異なる各種装置に対してヤトイを共通用具として使用することができるヤトイおよびアダプタの組み合わせおよびレンズ保持具を提供することにある。
【課題を解決するための手段】
【０００９】
上記目的を達成するために本発明に係るヤトイおよびアダプタの組み合わせは、レンズ取付部および固定基部を一体に有し、前記レンズ取付部にレンズを低融点合金を介して固定する際に、前記固定基部が特定装置の取付部に固定されるヤトイと、前記固定基部に適合する第１の嵌合部と、前記特定装置とは異なった他の装置の取付部に適合する第２の嵌合部を有し、前記ヤトイが前記他の装置に装着されるとき前記ヤトイに着脱可能に取り付けられるアダプタとからなるものである。
【００１０】
また、本発明に係るヤトイおよびアダプタの組み合わせは、上記発明において、前記特定装置がレンズ用ブロック装置からなり、前記他の装置が切削装置または研磨装置のいずれか一方とされる。
【００１１】
また本発明に係るヤトイおよびアダプタの組み合わせは、上記発明において、前記アダプタの第２の嵌合部がスクロールチャックに嵌合するものである。
【００１２】
また本発明に係るレンズ保持具は、ヤトイ、低融点合金、ブロッキングリングおよびアダプタを備え、前記ヤトイは、レンズが前記低融点合金を介して固定されるレンズ取付部と、特定装置の取付部に固定される固定基部とを一体に有し、前記ブロッキングリングは、前記ヤトイの外周を取り囲み前記レンズの外周を支持することにより前記ヤトイと前記レンズおよび前記特定装置の取付部の間に溶融した低融点合金が流し込まれる空間を形成し、前記アダプタは、前記ヤトイの固定基部に適合する第１の嵌合部と、前記特定装置とは異なった他の装置の取付部に適合する第２の嵌合部とを有し、前記ヤトイが前記他の装置に装着されるとき前記ヤトイに着脱可能に取り付けられるものである。
【発明の効果】
【００１３】
本発明において、ヤトイは特定装置の取付部に対して直接装着され、他の装置の取付部に対してはアダプタを介して装着される。したがって、ヤトイは、特定装置と他の装置に対して共通用具として使用することができ、他の装置に装着するとき、アダプタをヤトイに取り付けるだけで、レンズをヤトイから取り外す必要がない。さらに、レンズをヤトイから取り外すことがないため、アダプタを用いるとき、改めてレンズの軸出し作業を行なう必要がなく次工程に進むことが可能である。
【図面の簡単な説明】
【００１４】
【図１】本発明に係るレンズ保持具の一実施の形態を示す断面図である。
【図２】ヤトイの斜視図である。
【図３】ヤトイの側面図である。
【図４】ヤトイの底面図である。
【図５】アダプタの斜視図である。
【図６】アダプタの側面図である。
【図７】アダプタの底面図である。
【図８】アダプタを介してヤトイをスクロールチャックに装着した状態を示す断面図である。
【図９】従来のレンズ保持具によってレンズをヤトイに固定するときの様子を示す断面図である。
【発明を実施するための形態】
【００１５】
以下、本発明を図面に示す実施の形態に基づいて説明する。
本実施の形態は、レンズの凸面をブロックするレンズ保持具に適用した例を示す。なお、図９に示した構成部品、部分と同一構成部品、部分については同一符号をもって示し、その説明を適宜省略する。
【００１６】
図１〜図８において、レンズ保持具１０は、ヤトイ２と、アロイ３と、ブロッキングリング４およびアダプタ１１を備え、図９に示した従来のレンズ保持具１とはアダプタ１１を備えている点で異なっている。このため、ヤトイ２およびブロッキングリング４は、従来のものと同一である。
【００１７】
図１〜図４において、前記ヤトイ２は、従来の図９に示したヤトイ２と略同一構造のもので、ＳＵＳ３０３等によってレンズ５の外径より小さい直径と適宜な板厚を有する円筒状に形成され、レンズ取付部１２と固定基部１３とを一体に有している。レンズ取付部１２は、ヤトイ２の上半部で、レンズ５がアロイ３を介して固定される部分である。レンズ取付部１２の上面１５は、平坦なレンズ取付面を形成し、外周寄りに不貫通穴からなる、例えば４つの穴１６が周方向に等間隔おいて形成されている。これらの穴１６は、アロイ３が充填されることにより、ヤトイ２とアロイ３の結合強度を増大させるとともに、アロイ３の回転、剥離または脱落を防止する。レンズ取付部１２の外周面には、アダプタ１１を位置決めする位置決め線１７が表示されている。
【００１８】
ヤトイ２の固定基部１３は、ヤトイ２の下半部で、レンズ５をヤトイ２に固定する際に用いられる特定装置の取付部に固定される部分である。固定基部１３が固定される特定装置としては、図１および図９に示すＬＯＨ社製のレイアウトブロッカーと呼ばれるレンズ用ブロック装置Ａとされるが、これに限らず取付部７の形状が固定基部１３の形状と一致するものであればＬＯＨ社製以外の会社のレンズ用ブロック装置であってもよい。
【００１９】
前記固定基部１３は、下方に開放する逆台形の円筒状に形成されることにより、上端部が円板状で、下端部が断面逆台形状の環状突起からなる嵌合部１８を構成し、この嵌合部１８の内側部分が台形の凹陥部１９を形成している。また、嵌合部１８の先端面１８ａ（図４）には、２つの位置決め用凹部２０、２０が周方向に１８０°離間して半径方向に形成され、両端が嵌合部１８の内外壁に開放している。
【００２０】
ヤトイ２は、図１に示すレンズ用ブロック装置Ａの取付部７に装着されたとき、嵌合部１８が取付部７の凹陥部７ａに嵌合し、この凹陥部７ａの内側突起部２１が固定基部１３の凹陥部１９に嵌合する。また、凹陥部７ａの底面には固定基部１３の位置決め用凹部２０に嵌合する２つの位置決め用突起部２２（図９参照）が一体に突設されており、これによってヤトイ２の取付部７に対する回転を防止している。
【００２１】
図１において、前記ブロッキングリング４は、同じくＳＵＳ３０３等によって形成された内径がレンズ５の外径より若干小さいリングからなり、周方向に等間隔おいて形成された２つの位置決め用穴２８（図９参照）を有している。
【００２２】
ここで、ヤトイ２を切削装置や研磨装置の取付部に装着するとき、これら装置の取付部がレンズ用ブロック装置Ａの取付部７と異なる形状の場合、具体的には例えば図８に示すスクロールチャック４０を用いている場合はヤトイ２を一般のスクロールチャック４０に固定することができなくなる。その場合は、アダプタ１１を介してヤトイ２をスクロールチャック４０に着脱可能に取り付ける。
【００２３】
図５〜図８において、前記アダプタ１１は、取付部の形状が前記レンズ用ブロック装置Ａ（特定装置）の取付部７とは異なった他の装置、例えば、切削装置、研磨装置等にヤトイ２を取り付けるときに用いられるもので、ヤトイ２と略同一の外径を有する円板状に形成され、上面側にヤトイ２の固定基部１３に適合（嵌合）する第１の嵌合部４１が形成され、下面側にはスクロールチャック４０に嵌合する第２の嵌合部４２が形成されている。第１の嵌合部４１は、径方向に延在する山形の突状体からなり、各端部が固定基部１３の位置決め用凹部２０、２０にそれぞれ嵌合することにより、ヤトイ２とアダプタ１１の相対的な回転を防止する。
【００２４】
第２の嵌合部４２は、アダプタ１１の下面に中心付近から外側に向かって放射状に形成された３つの溝からなり、その外端がアダプタ１１の外周面に開放している。また、アダプタ１１の外周面には、位置決め線４３がヤトイ２の位置決め線１７に対応して表示されている。
【００２５】
図８において、前記スクロールチャック４０は、チャック本体４０Ａと、このチャック本体４０Ａの前面に放射方向にスライド自在に配設された３つの爪４５と、前記チャック本体４０Ａ内に組み込まれ３つの爪４５を連動して開閉させるカム機構（図示せず）とを備え、各爪４５が前記アダプタ１１の第２の嵌合部４２に嵌合することにより、ヤトイ２がアダプタ１１を介してスクロールチャック４０に着脱可能に取付けられる。また、爪４５は、ヤトイ２の外周を３方向から同時に押圧することにより、ヤトイ２の軸心をスクロールチャック４０の軸心に自動的に一致させる。
【００２６】
このような構造からなるレンズ保持具１０において、レンズ５をヤトイ２に固定するときは、ヤトイ２をレンズ用ブロック装置Ａの取付部７に装着する。このとき、固定基部１３の嵌合部１８は取付部７の凹陥部７ａに嵌合し、この凹陥部７ａの内側突起部２１が固定基部１３の凹陥部１９に嵌合する。また、前記凹陥部７ａの溝底に設けた位置決め用突起部２２（図９）が固定基部１３の位置決め用凹部２０に嵌合し、これによってヤトイ２の回転が防止される。
【００２７】
さらに、ブロッキングリング４を図９に示すようにレンズ用ブロック装置Ａの取付部７に、位置決めピン２９と適宜な固定手段３０によって固定する。
【００２８】
次に、加工すべきレンズ５を凸面５ｂ側を下にしてその外周部をブロッキングリング４の上面に載置して中心を一致させた後、レンズ５を適宜な押圧部材によって押圧し、ブロッキングリング４に固定する。そして、この状態でアロイ３を流入口よりヤトイ２、ブロッキングリング４、レンズ５および取付部７によって囲まれた空間内に流入させて固化させることにより、レンズ５をヤトイ２のレンズ取付面１５にアロイ３を介して固定する。図１はこの状態を示す。
【００２９】
レンズ５のヤトイ２への取付作業が終了したら、ヤトイ２を取付部７から取り外し、さらにブロッキングリング４をアロイ３から外した後、ヤトイ２をレンズ５の凹面５ａを加工する切削装置の取付部に装着する。
【００３０】
このとき、切削装置の取付部がレンズ用ブロック装置Ａの取付部７とは異なり、スクロールチャック４０を用いている場合は、ヤトイ２を直接装着することができないため、アダプタ１１を介してヤトイ２を装着する。アダプタ１１は、位置決め線１７と位置決め線４３を互いに一致させて第１の嵌合部４１をヤトイ２の位置決め用凹部２０に嵌合することにより、ヤトイ２に対して着脱可能に取り付けられる。この場合、位置決め用凹部２０と第１の嵌合部４１との嵌合に加えて、ボルトや止めねじによってヤトイ２とアダプタ１１を固定してもよい。
【００３１】
そして、ヤトイ２とアダプタ１１を切削装置のスクロールチャック４０に装着し、３つの爪４５をアダプタ１１の第２の嵌合部４２に嵌合させてアダプタ１１をスクロールチャック４０に固定する。そして、切削装置によってレンズ５の凹面５ａを切削加工し、所定の仕上げ寸法より研磨代だけ厚肉のレンズを製作する。切削加工が終了した後、ヤトイ２とアダプタ１１は、切削装置から取り外され、研磨装置の取付部に装着される。研磨装置は、取付部にスクロールチャック４０を用いている場合、同様にアダプタ１１を介してヤトイ２が装着され、レンズ５の凹面５ａを研磨して所定の曲面形状の光学面に仕上げる。一方、研磨装置がスクロールチャック４０以外のチャックを用いているときは、それに適合するアダプタを予め用意しておき、それと交換してヤトイ２を研磨装置に装着する。
【００３２】
このように本発明に係るレンズ保持具１０は、図５〜図７に示すアダプタ１１を備えているので、加工装置がスクロールチャック４０を用いている場合、ヤトイ２にアダプタ１１を装着してスクロールチャック４０に取り付けるだけでよく、したがって、ヤトイ２からレンズ５を取り外して、スクロールチャック４０に適合するヤトイにレンズ５を固定し直すといった作業を必要とせず、またアダプタ１１のヤトイ２に対する取付け作業も位置決め用凹部２０に第１の嵌合部４１を嵌合するだけでよいので、迅速かつ容易に行なうことができる。
【００３３】
ここで、本実施の形態は、スクロールチャック４０に適合するアダプタ１１について示したが、他の型式のチャックを備えた切削装置、研磨装置等の各種加工装置に用いる場合は、そのチャックに適合する各種のアダプタを予め用意しておき、ヤトイ２自体は全ての装置に対して共通用具として使用するようにすれば、アダプタ１１の交換時におけるヤトイに対するレンズ５の取付け、取外し作業を不要にすることができる。
【００３４】
また、セミフィニッシュレンズからなるレンズ５は、大きさによって分類すると、例えば８０、７５、７０、６５ｍｍφの４種類があるため、各レンズの大きさに対応した４種類のヤトイ２およびブロッキングリング４を用意しておけば、全てのレンズに対して適用することができる。
【符号の説明】
【００３５】
２…ヤトイ、３…アロイ、４…ブロッキングリング、５…レンズ、７…取付部、１０…レンズ保持具、１１…アダプタ、１２…レンズ取付部、１３…固定基部、１８…嵌合部、１９…凹陥部、２０…位置決め用凹部、２１…内側突起部、４０…スクロールチャック、４１…第１の嵌合部、４２…第２の嵌合部、Ａ…レンズ用ブロック装置。
【図１】
2010284761.tif 000003
【図２】
2010284761.tif 000004
【図３】
2010284761.tif 000005
【図４】
2010284761.tif 000006
【図５】
2010284761.tif 000007
【図６】
2010284761.tif 000008
【図７】
2010284761.tif 000009
【図８】
2010284761.tif 000010
【図９】
2010284761.tif 000011